(57)【要約】      （修正有）【課題】接続箇所における様々な配線仕様に柔軟に対応することができるコネクタを提供する。【解決手段】端子金具を挿入する空間２１０ｚを有する複数のキャビティパーツ２００ｐと、キャビティパーツ２００ｐを収容可能に形成された収容空間１００ｚを有するハウジング１００とで構成し、収容空間１００ｚは、ハウジング１００において端子金具３００の挿入方向Ｄ１と同一方向に貫通形成され、ハウジング１００の内面とキャビティパーツ２００ｐの外面に、キャビティパーツ２００ｐを所定位置ＰＤに保持する保持手段１３０，２３０を備えた。【選択図】図１
2015191835.tif 000002
【特許請求の範囲】
【請求項１】
端子を挿入する空間を有する複数のキャビティパーツと、
前記キャビティパーツを収容可能に形成された収容空間を有するハウジングとで構成し、
前記収容空間は、
前記ハウジングにおいて端子の挿入方向と同一方向に貫通形成され、
前記ハウジングの内面と前記キャビティパーツの外面に、前記キャビティパーツを所定位置に保持する保持手段を備えた
コネクタ。
【請求項２】
前記収容空間を、前記キャビティパーツを前記ハウジングに整列状態で収容する空間で形成した
請求項１記載のコネクタ。
【請求項３】
複数の前記キャビティパーツの外形がそれぞれ同一である
請求項１、又は２に記載のコネクタ。
【請求項４】
前記保持手段を、
前記収容空間に収容された前記キャビティパーツを前記所定位置で係合可能にハウジング側に形成したハウジング側係合手段と、
該ハウジング側係合手段に係合可能に前記キャビティパーツ側に形成したキャビティパーツ側係合手段とで構成した
請求項１乃至３のうちいずれか記載のコネクタ。
【請求項５】
前記ハウジングと前記キャビティパーツの少なくとも一方に、前記キャビティパーツを前記収容空間における所定位置に案内する案内手段を備えた
請求項１乃至４のうちいずれか記載のコネクタ。
【発明の詳細な説明】
【技術分野】
【０００１】
この発明は、端子などの挿入対象物を挿入するキャビティパーツと、該キャビティパーツを収容するハウジングとで構成されるコネクタに関する。
【背景技術】
【０００２】
従来より、この種のキャビティパーツをハウジングに収容してなるコネクタは、様々なものが提案されており、例えば、下記特許文献１の分割コネクタもその一つである。
【０００３】
特許文献１に開示の分割コネクタは、複数のキャビティパーツに相当するサブコネクタと、このサブコネクタを挿入して保持可能な複数の装着孔を形成したハウジングに相当する枠体としてのフレームとで構成している。
【０００４】
特許文献１の分割コネクタは、サブコネクタを、それぞれ大小様々な大きさで構成したものを複数備えるとともに、複数のサブコネクタのそれぞれの大きさ、数に対応させて一つのフレームに複数のサブコネクタを装着可能に複数の装着孔を形成している。
【０００５】
上記構成により、分割コネクタは、複数のサブコネクタを、一つのフレームに形成した複数の装着孔におけるそれぞれに対応する箇所に装着して一体に構成することができる。
【０００６】
しかし、特許文献１の「分割コネクタ」は、複数のサブコネクタを、一つのフレームに形成した複数の装着孔におけるそれぞれに対応する特定の装着孔にしかそれぞれ装着できないため、装着後のコネクタの形態が一つの態様に特定されることになる。
【０００７】
このように、端子のサイズや極数などの態様がコネクタごとに特定されることから、コネクタにより接続する接続箇所における配線仕様に応じて複数のコネクタを用意する必要があることや、必要に応じて配線仕様に合致するコネクタを設計、製造する必要があり、接続箇所の様々な配線仕様に対応した所望のコネクタを柔軟に得ることができなかった。
【先行技術文献】
【特許文献】
【０００８】
【特許文献１】特開平９−２１９２３８号公報
【発明の概要】
【発明が解決しようとする課題】
【０００９】
そこでこの発明は、接続箇所における様々な配線仕様に柔軟に対応することができるコネクタの提供を目的とする。
【課題を解決するための手段】
【００１０】
本発明は、端子を挿入する空間を有する複数のキャビティパーツと、前記キャビティパーツを収容可能に形成された収容空間を有するハウジングとで構成し、前記収容空間は、前記ハウジングにおいて端子の挿入方向と同一方向に貫通形成され、前記ハウジングの内面と前記キャビティパーツの外面に、前記キャビティパーツを所定位置に保持する保持手段を備えたことを特徴とする。
【００１１】
本発明によれば、接続箇所の様々な配線仕様に対応したコネクタを柔軟に構築することができる。
【００１２】
このため、上記構成によれば、複数備えた前記キャビティパーツのそれぞれを、端子のサイズや極数等の態様を満たすように前記収容空間に収容して保持手段で保持することにより、複数備えた前記キャビティパーツを選択して前記収容空間に如何なる配置で収容するかといった組み合わせに応じて極数、サイズ、配置などの端子の態様について様々なバリエーションのコネクタを自由に設計することが可能となる。
【００１３】
従って、あらゆる接続箇所の配線仕様に対応するように複数のコネクタを用意したり、配線仕様に応じたコネクタを新たに設計、製造せずとも、接続箇所の配線仕様に応じたコネクタを柔軟に構築することができる。
【００１４】
さらに、ハウジングの形態を接続箇所の配線仕様に関わらず、共通化することができ、ハウジングを含めて新たに設計、製造する必要がなく、コネクタの製造コストの削減、及び効率化を図ることができる。
【００１５】
さらにまた、複数のキャビティパーツは、ハウジングに対して分割して構成することにより、端子を挿入する空間の態様が同じキャビティパーツをまとめて生産した後で、端子の態様に応じて異なる空間のキャビティパーツを組み合わせて用いることで、様々な態様の端子の挿入に対応した複数のキャビティパーツを備えたコネクタを効率よく得ることができ、コネクタの生産効率の向上を図ることができる。
【００１６】
ここで、前記コネクタは、雄型、雌型のいずれのタイプであってもよい。  
また、前記収容空間は、キャビティパーツを１つだけ収容する大きさで構成するに限らず、複数のキャビティパーツを収容可能な大きさで形成してもよい。
【００１７】
端子の挿入方向とは、前記収容空間に収容した状態の前記キャビティパーツにおける前記空間への端子の挿入方向であることを示す。
【００１８】
前記保持手段は、前記キャビティパーツを前記収容空間における所定位置に保持した保持状態において、保持状態を意図的に解除して取り外し可能な構成とした場合、一旦、保持状態とした前記キャビティパーツを別の前記キャビティパーツに交換することができる点で好ましいが、これに限定せず、保持状態を解除不能に保持するいわゆる嵌め殺しタイプであってもよい。
【００１９】
前記空間、すなわちキャビティは、端子を挿入することに限定せず、ピンや治具や電線を挿入してもよい。なお、端子は、雄型と雌型のいずれであってもよい。
【００２０】
キャビティパーツの空間に挿入する端子は、例えば、極数、サイズなどの態様については特に限定しない。
【００２１】
またこの発明の態様として、前記収容空間を、前記キャビティパーツを前記ハウジングに整列状態で収容する空間で形成することができる。
【００２２】
上述した構成によれば、前記収容空間に複数のキャビティパーツを整列した状態で収容できるため、収容する複数のキャビティパーツの配置などの組み合わせの自由度を格段に増加させることができ、複数のキャビティパーツのいずれかを、該キャビティパーツを１つだけ収容空間に収容する場合と比較して、コネクタを様々な配線仕様に柔軟に対応させて構築することができる。
【００２３】
またこの発明の態様として、複数の前記キャビティパーツの外形がそれぞれ同一とすることができる。
【００２４】
上述した構成によれば、複数の前記キャビティパーツは、端子の態様に応じて該端子を挿入する前記空間の数や配置箇所などの形状が異なる場合であっても、キャビティパーツの外形はそれぞれ同一に形成しているため、いずれの前記キャビティパーツについても、ハウジングにおける収容空間において、同一の収容箇所に確実に収容することができる。
【００２５】
またこの発明の態様として、前記保持手段を、前記収容空間に収容された前記キャビティパーツを前記所定位置で係合可能にハウジング側に形成したハウジング側係合手段と、該ハウジング側係合手段に係合可能に前記キャビティパーツ側に形成したキャビティパーツ側係合手段とで構成することができる。
【００２６】
上述した構成によれば、前記キャビティパーツを収容空間に収容した状態において、ハウジング側係合手段とキャビティパーツ側係合手段とが互いに係合し合うことにより、前記キャビティパーツを前記収容空間における所定位置にしっかりと保持することができる。
【００２７】
またこの発明の態様として、前記ハウジングと前記キャビティパーツの少なくとも一方に、前記キャビティパーツを前記収容空間における所定位置に案内する案内手段を備えることができる。
【００２８】
上述した構成によれば、前記案内手段により前記キャビティパーツを前記収容空間における所定位置にまで案内することで、所定位置までスムーズに前記キャビティパーツを収容することができるとともに、前記キャビティパーツを正確に所定位置において収容した状態とすることができる。
【００２９】
ここで、前記案内手段は、前記係合手段と兼用して形成してもよい。  
具体的には、前記案内手段は、前記所定位置までの一方向に沿って前記キャビティパーツを案内するが、それ以外の方向については、キャビティパーツを案内せずに、該キャビティパーツがハウジングに対して移動しないように規制する。このため、前記所定位置までの一方向以外の方向については、前記案内手段は、キャビティパーツをハウジングに係合させる係合手段として作用させることができる。
【発明の効果】
【００３０】
この発明によれば、接続箇所における様々な配線仕様に柔軟に対応することができるコネクタを提供することができる。
【図面の簡単な説明】
【００３１】
【図１】キャビティパーツとハウジングとの構成を模式的に示した外観図。
【図２】第１実施形態のコネクタを模式的に示した外観図。
【図３】ハウジング、及びキャビティパーツの内部構成を示す縦断面図。
【図４】ハウジングに複数のキャビティパーツを収容する際の説明図。
【図５】他の配置態様で複数のキャビティパーツを収容したコネクタの外観図。
【図６】第２実施形態のコネクタを模式的に示した説明図。
【図７】第２実施形態のキャビティパーツの一部を模式的に示した説明図。
【図８】第３実施形態のコネクタを模式的に示した説明図。
【発明を実施するための形態】
【００３２】
この発明の一実施形態を、以下図面を用いて説明する。  
但し、以下で説明する図面のうち図３以外の図面において、以下で説明するコネクタ１の構成部品における詳細な構成、形態、及び端子金具３００について適宜、簡略化し、主たる構成のみを抽出した概念図として図示するものとする。
【００３３】
本実施形態におけるコネクタ１は、図１乃至図３に示すように、端子金具３００を挿入する端子挿入孔としてのキャビティ２１０ｚを有する複数のキャビティパーツ２００Ｐと、該キャビティパーツ２００Ｐを収容する収容空間１００ｚを有するハウジング１００とで構成した雌型コネクタである。  
これら複数のキャビティパーツ２００Ｐとハウジング１００は合成樹脂による成形によりそれぞれ形成している。
【００３４】
なお、図１はハウジング１００と、該ハウジング１００にキャビティパーツ２００Ｐを収容していないキャビティパーツ２００Ｐとを簡略化して示した概念図である。図２はハウジング１００にキャビティパーツ２００Ｐを収容した状態のコネクタ１を簡略化して示した概念図である。
【００３５】
図３（ａ）は、ハウジング１００の長手方向の縦断面図であり、図３（ｂ）は、キャビティパーツ２００Ｐを収容した状態のハウジング１００のキャビティ２１０ｚを有する箇所における長手方向の縦断面図である。
【００３６】
また、以下の説明において、図２に示すように、コネクタ１の幅方向（長手方向）をＷ方向に設定するとともに、上下方向（短手方向）をＺ方向に設定する。さらに、コネクタ１の奥行方向をＤ方向とし、特に、収容空間１００ｚにキャビティパーツ２００Ｐを収容した状態におけるキャビティ２１０ｚへの端子金具３００の挿入方向をＤ１方向に設定する。
【００３７】
キャビティパーツ２００Ｐには、雌型の端子金具３００を挿着可能な端子収容孔としてのキャビティ２１０ｚを形成した箱型のキャビティパーツ本体２８０を備え、キャビティ２１０ｚは、キャビティパーツ２００Ｐにおける接続相手側の図示しない雄型の端子と接続可能に奥行方向Ｄへ貫通して形成している。
【００３８】
キャビティパーツ２００Ｐは、図１に示すように、それぞれ後述するキャビティパーツ本体２８０とキャビティパーツ側係合片２２０とキャビティパーツ側案内突部２３０とで構成している。
【００３９】
コネクタ１には、それぞれ異なる形態で構成したキャビティパーツ２００Ｐを４つ備えている。キャビティパーツ２００Ｐは、キャビティ２１０ｚを、サイズ、極数、配置などの端子金具３００の態様に応じて配設したキャビティ配置面２６０を図１中の正面側に構成している。
【００４０】
具体的には、図１、及び図２に示すように、４つのキャビティパーツ２００Ｐは、キャビティ２１０ｚの孔径、極数、配置箇所などのキャビティ配置面２６０の形態が互いに異なり、４つのキャビティパーツ２００Ｐの中で最も大きな端子金具３００を挿入可能なキャビティ２１０ｚ１を１つ設けた第１キャビティパーツ２００Ｐ１と、次に大きなサイズの端子金具３００を挿入可能なキャビティ２１０ｚ２を２つ設けた第２キャビティパーツ２００Ｐ２と、次に大きなサイズの端子金具３００を挿入可能なキャビティ２１０ｚ３を３つ設けた第３キャビティパーツ２００Ｐ３と、最も小さな端子金具３００を挿入可能なキャビティ２１０ｚ４を４つ設けた第４キャビティパーツ２００Ｐ４とからなる。
【００４１】
なお、４つのキャビティパーツ２００Ｐにおけるキャビティ２１０ｚの数は、端子サイズが大きくなるに従って少なく設けているが、このような関係に限らず、キャビティ配置面２６０に物理的に配設可能な範囲で様々な極数、サイズで設けることができる。
【００４２】
４つのキャビティパーツ２００Ｐは、上述したように、キャビティ配置面２６０の形態がそれぞれ異なるが、キャビティパーツ本体２８０の外周形状、すなわち、奥行方向Ｄ（挿入方向Ｄ１）に対する直交断面における外形についてはそれぞれ同じに形成している（図１参照）。
【００４３】
また、図１、及び図３（ｂ）に示すように、複数のキャビティパーツ２００Ｐのそれぞれには、これらキャビティパーツ２００Ｐをハウジング１００における後述する収容空間１００ｚにおけるキャビティパーツ装着位置ＰＤ（図３（ｂ）参照）において収容した状態で係合可能なキャビティパーツ２００Ｐ側の係合手段として、後述するハウジング側係合突部１２０と係合するキャビティパーツ側係合片２２０を形成している。
【００４４】
キャビティパーツ側係合片２２０は、キャビティパーツ本体２８０の天板における後述する複数のパーツ収容区分け空間１１０ｚごとの幅方向Ｗの中間部分に、挿入方向Ｄ１と反対方向の斜め上方に向けて、下方へ撓み変形可能に舌片状に突出して形成している（図１、及び図３（ｂ）参照）。
【００４５】
複数のキャビティパーツ２００Ｐのそれぞれは、図２中の一部拡大部に示すように、キャビティパーツ２００Ｐをハウジング１００の収容空間１００ｚにおけるキャビティパーツ装着位置ＰＤに案内するキャビティパーツ２００Ｐ側の案内手段としてのキャビティパーツ側案内突部２３０を形成している。
【００４６】
キャビティパーツ側案内突部２３０は、図１に示すように、キャビティパーツ本体２８０の天板における幅方向Ｗの両側に、後述するハウジング側案内溝部１３０に係合可能に挿入方向Ｄ１に沿って上方に突出するレール状に形成している。
【００４７】
また、図３（ｂ）に示すように、キャビティパーツ２００Ｐの上面には、リテーナー部材２５０Ａを備えている。リテーナー部材２５０Ａは、キャビティパーツ本体２８０におけるリテーナー部材２５０Ａ以外の部分に対して別体で形成するとともに、リテーナー部材２５０Ａを、リテーナー嵌込み部２５０Ｈに対して上方から嵌め込み可能に形成している。
【００４８】
リテーナー部材２５０Ａには、図３（ｂ）に示すように、キャビティ２１０ｚに挿入完了した状態の端子金具３００に係合するリテーナー突片２５０を下方に突出した突状に形成している。  
リテーナー突片２５０は、端子金具３００における箱型の接続部３５０の長手方向の基端側上端部３５０ａに係合するように撓み変形可能に形成している。
【００４９】
一方、キャビティパーツ２００Ｐの下部には、端子金具３００をキャビティ２１０ｚに挿入完了した状態において、端子金具３００における箱型の接続部３５０の底板を貫通させて形成した係止孔３１０の縁部３１０ａに係止可能なランス２４０を形成している。なお、端子金具３００における係止孔３１０の幅方向Ｗの両側には、下方へ舌片状に突出するスタビライザ３６０を形成している。  
これらリテーナー２５０とランス２４０とのそれぞれは、端子金具３００の側へ撓み変形可能にヒンジとしての薄肉部３１１，３５１を介してキャビティパーツ本体280側に連結するように該キャビティパーツ本体280側と一体に形成している。
【００５０】
また、上述したハウジング１００は、図１、及び図２に示すように、上下方向Ｚに対して幅方向Ｗへ長い直方体形状に形成するとともに、奥行方向Ｄにおいて貫通する角筒状に形成している。
【００５１】
ハウジング１００には、４つのキャビティパーツ２００Ｐを幅方向Ｗへ隙間なく並列した状態で収容する収容空間１００ｚを形成している。
【００５２】
収容空間１００ｚは、キャビティパーツ２００Ｐにおけるキャビティ配置面２６０に対して直交する直交方向、すなわち奥行方向Ｄに貫通する貫通孔として形成し、奥行方向Ｄの両側で開口する開口部のうち図示しない相手側コネクタ１としての雄コネクタ１と接続する側と反対側で開口する図３（ａ）に示すような挿入側開口部１４０を通じてキャビティパーツ２００Ｐを挿入する。
【００５３】
収容空間１００ｚは、図１に示すように、４つのパーツ収容区分け空間１１０ｚからなり、４つのパーツ収容区分け空間１１０ｚのそれぞれは、４つのキャビティパーツ２００Ｐのそれぞれを幅方向Ｗへ沿ってキャビティパーツ装着位置ＰＤに並列配置した状態において、それぞれのキャビティパーツ２００Ｐの配置箇所に相当する。
【００５４】
ここで、４つのパーツ収容区分け空間１１０ｚのそれぞれを、収容空間１００ｚの幅方向Ｗの一方側から他方側に沿ってそれぞれ第１パーツ収容区分け空間１１０ｚａ、第２パーツ収容区分け空間１１０ｚｂ、第３パーツ収容区分け空間１１０ｚｃ、第４パーツ収容区分け空間１１０ｚｄに設定する。
【００５５】
なお、収容空間１００ｚは、図１に示すように、第１パーツ収容区分け空間１１０ｚａ、第１パーツ収容区分け空間１１０ｚｂ、第３パーツ収容区分け空間１１０ｚｃ、第４パーツ収容区分け空間１１０ｚｄの間がいずれも仕切られることなく幅方向Ｗに沿って連通させて形成している。
【００５６】
図１、図２及び図３（ａ）、（ｂ）に示すように、ハウジング１００は、ハウジング本体１８０とハウジング側係合突部１２０とハウジング側案内溝部１３０で構成している。
【００５７】
ハウジング側係合突部１２０は、図１、及び図３（ａ）、（ｂ）に示すように、ハウジング本体１８０における天板の下面に、キャビティパーツ２００Ｐを収容空間１００ｚに収容した状態において、キャビティパーツ２００Ｐが挿入方向Ｄ１と反対方向から抜けないように、キャビティパーツ側係合片２２０に係合するハウジング１００側の係合手段として形成している。
【００５８】
すなわち、ハウジング側係合突部１２０とキャビティパーツ側係合片２２０との係合により、キャビティパーツ２００Ｐを収容空間１００ｚの奥行方向Ｄにおいて固定することができる。
【００５９】
ハウジング側係合突部１２０は、図１に示すように、収容空間１００ｚにおける第１パーツ収容区分け空間１１０ｚａ、第１パーツ収容区分け空間１１０ｚｂ、第３パーツ収容区分け空間１１０ｚｃ、第４パーツ収容区分け空間１１０ｚｄに収容した４つのキャビティパーツ２００Ｐのそれぞれに係合可能に下方へ突出させて形成している。なお、ハウジング側係合突部１２０は、図１、及び図３（ｂ）に示すように、ハウジング本体１８０Ｂの挿入側開口部１４０の縁部まで、すなわち、ハウジング本体１８０Ｂの図１に示す正面まで続くように奥行方向Ｄに沿って連続して形成している。
【００６０】
すなわち、これらハウジング１００の天板部の下面に配設した４つのハウジング側係合突部１２０のそれぞれは、４つのキャビティパーツ２００Ｐのうちいずれのキャビティパーツ２００Ｐを収容してもキャビティパーツ側係合片２２０に係合可能に同一形状に形成している。
【００６１】
換言すると、４つのキャビティパーツ２００Ｐのそれぞれに形成したキャビティパーツ側係合片２２０は、図１に示すように、いずれも第１パーツ収容区分け空間１１０ｚａ、第２パーツ収容区分け空間１１０ｚｂ、第３パーツ収容区分け空間１１０ｚｃ、第４パーツ収容区分け空間１１０ｚｄのうち、いずれのパーツ収容区分け空間１１０ｚに収容してもハウジング側係合突部１２０に係合可能に同一形状に形成している。
【００６２】
また、上述したハウジング側案内溝部１３０は、図１、図２中の一部拡大図、及び図３に示すように、キャビティパーツ２００Ｐを、ハウジング１００における収容空間１００ｚにおけるキャビティパーツ装着位置ＰＤまでキャビティパーツ側案内突部２３０とともに案内するハウジング１００側の案内手段として形成するとともに、ハウジング１００の天板における複数のパーツ収容区分け空間１１０ｚのそれぞれに対応する箇所に形成している。
【００６３】
すなわち、ハウジング側案内溝部１３０は、図１、及び図２に示すように、ハウジング１００の天板部における複数のパーツ収容区分け空間１１０ｚのそれぞれに対応する箇所において、該パーツ収容区分け空間１１０ｚの幅方向Ｗの中間部分を、一対のキャビティパーツ側案内突部２３０と係合可能な幅を有した凹状に形成している。
【００６４】
具体的には、図２中の一部拡大部に示すように、ハウジング側案内溝部１３０の幅方向Ｗの両側の内側端面が一対のキャビティパーツ側案内突部２３０の外側端面に、それぞれ係合して奥行方向Ｄに案内（ガイド）可能に形成している。
【００６５】
換言すると、ハウジング側案内溝部１３０とキャビティパーツ側案内突部２３０とキャビティパーツ２００Ｐを収容空間１００ｚの幅方向Ｗにおいてが互いに係合することにより、キャビティパーツ２００Ｐを収容空間１００ｚに位置決め保持することができる。
【００６６】
なお、ハウジング側案内溝部１３０は、キャビティパーツ２００Ｐを収容空間１００ｚに挿入する際に、キャビティパーツ側係合片２２０がハウジング本体１８０の上端面に干渉しないように逃げ部としても作用する。
【００６７】
また、図３（ａ）、（ｂ）に示すように、ハウジング１００における雄コネクタ１と接続する側、すなわち、図１中の背面側の壁面上部には、キャビティパーツ側係合片２２０のハウジング側係合突部１２０に対する係合を解除する治具として図示しない係合解除ピンをハウジング１００の外側からパーツ収容空間１１０へ挿入する治具挿入孔１００Ｈを形成している。
【００６８】
上述した構成によれば、図示しない係合解除ピンを、治具挿入孔１００Ｈを通じてハウジング本体１８０と、パーツ収容空間１１０に収容したキャビティパーツ２００Ｐとの隙間に差し込んで、キャビティパーツ側係合片２２０を押し下げるように撓み変形させることで、キャビティパーツ側係合片２２０とハウジング側係合突部１２０との係合を解除することができ、パーツ収容空間１１０からキャビティパーツ２００Ｐを引き抜くことができる。
【００６９】
上述した構成のコネクタ１が奏する作用、効果について、図４、及び図５を用いて説明する。  
なお、図４（ａ）から（ｄ）はハウジング１００の収容空間１００ｚに複数のキャビティパーツ２００Ｐを順に収容する様子を説明する説明図である。図５（ａ）、（ｂ）はそれぞれハウジング１００の収容空間１００ｚにおいてキャビティパーツ２００Ｐを図１に示した配置態様とは異なる配置態様で配置したコネクタ１を簡略化して示した概念図である。
【００７０】
上述したように、本実施形態のコネクタ１は、４つのパーツ収容区分け空間１１０ｚのそれぞれを、４つ備えたキャビティパーツ２００Ｐのいずれのキャビティパーツ２００Ｐをも収容可能に、キャビティパーツ本体２８０のそれぞれの外形を同一形状に形成するとともに、ハウジング１００の収容空間１００ｚを構成する内面を、これら４つのキャビティパーツ本体２８０を並列配置した外形と略同じ内面形状で構成している。
【００７１】
さらに、本実施形態のコネクタ１は、図１乃至図３に示すように、ハウジング側係合突部１２０を、ハウジング１００における４つのパーツ収容区分け空間１１０ｚのそれぞれに対応する箇所に形成しているが、これらハウジング側係合突部１２０のそれぞれは、４つ備えたキャビティパーツ２００Ｐのそれぞれに形成したキャビティパーツ側係合片２２０のうち、いずれのキャビティパーツ側係合片２２０に対しても係合可能に構成している。
【００７２】
同様に、本実施形態のコネクタ１は、図１乃至図３に示すように、ハウジング側案内溝部１３０を、ハウジング１００における４つのパーツ収容区分け空間１１０ｚのそれぞれに対応する箇所に形成しているが、これらハウジング側案内溝部１３０のそれぞれは、４つ備えたキャビティパーツ２００Ｐのそれぞれに形成したキャビティパーツ側案内突部２３０のうち、いずれのキャビティパーツ側案内突部２３０に対しても係合して案内可能に構成している。
【００７３】
上述した構成により、複数備えたキャビティパーツ２００Ｐのいずれかを選択して収容空間１００ｚのいずれかのパーツ収容区分け空間１１０ｚに如何なる配置で収容するかといった組み合わせに応じて例えば、図１に示すような態様のコネクタ１を得ることができる。
【００７４】
具体的には、端子金具３００の態様に応じてそれぞれ異なる形態で形成した図４（a）に示すような４つのキャビティパーツ２００Ｐをハウジング１００の収容空間１００ｚに収容する際には、まず、図４（ａ）、（ｂ）に示すように、４つのキャビティパーツ２００Ｐのうち、いずれかのキャビティパーツ２００Ｐとして例えば、第１キャビティパーツ２００Ｐ１を、ハウジング１００において並列配置して構成した４つのパーツ収容区分け空間１１０ｚのうち例えば、第３パーツ収容区分け空間１１０ｚｃに収容する。
【００７５】
続いて、図４（ｂ）、（ｃ）に示すように、残り３つのキャビティパーツ２００Ｐのうち、いずれかのキャビティパーツ２００Ｐとして例えば、第２キャビティパーツ２００Ｐ２を、ハウジング１００における残り３つのパーツ収容区分け空間１１０ｚのうち例えば、第１パーツ収容区分け空間１１０ｚａに収容する。
【００７６】
同様に、図４（ｃ）、（ｄ）に示すように、残り２つのキャビティパーツ２００Ｐのうち例えば、第３キャビティパーツ２００Ｐ３を、ハウジング１００における残り２つのパーツ収容区分け空間１１０ｚのうち例えば、第２パーツ収容区分け空間１１０ｚｂに収容するとともに、図４（ｄ）に示すように、最後に残った第４キャビティパーツ２００Ｐ４を最後に残った第４パーツ収容区分け空間１１０ｚｄに収容する。
【００７７】
このようなキャビティパーツ２００Ｐをハウジング１００における収容空間１００ｚに収容する際の要領と同様の要領により、例えば、図５（ａ）や図５（ｂ）に示すような図１に示す態様とは異なる様々なバリエーションのコネクタ１を自由に得ることが可能となる。
【００７８】
従って、コネクタの接続箇所における、あらゆる配線仕様に対応するように複数のコネクタを用意したり、新たにコネクタを設計、製造せずとも、接続箇所の配線仕様に応じた所望のコネクタ１を柔軟に構築することができる。
【００７９】
さらに、本実施形態のコネクタ１は、コネクタの接続箇所の配線仕様に関わらず、複数のキャビティパーツ２００Ｐの組み合わせや配置の態様により様々なハウジング１００を得ることができるため、キャビティパーツ２００Ｐ等の部品の共通化を図ることができ、接続箇所の配線仕様ごとにハウジング１００を新たに設計、製造する必要がなく、コネクタ１の製造コストの削減、及び効率化を図ることができる。
【００８０】
さらにまた、本実施形態のコネクタ１は、キャビティパーツ２００Ｐを、端子金具３００の態様ごとに複数備えるとともに、それぞれのキャビティパーツ２００Ｐをハウジング１００に対して分割して構成することにより、端子金具３００の態様が同じキャビティパーツ２００Ｐをまとめて生産しておき、必要に応じて端子金具３００の態様が異なるものを組み合わせることができるため、様々な端子金具３００の態様を有する複数のキャビティパーツ２００Ｐを備えたコネクタ１を効率よく生産することができ、コネクタ１の生産効率の向上を図ることができる。
【００８１】
以下では、他の実施形態におけるコネクタ１Ａ，１Ｂについて説明する。  
但し、以下で説明するコネクタ１Ａ，１Ｂの構成のうち、上述した第１実施形態におけるコネクタ１と同様の構成については、同一の符号を付して、その説明を省略する。
【００８２】
（第２実施形態）
図６に示すように、第２実施形態のコネクタ１Ａは、上側に有した上側収容空間１００ｚＵと、下側に有する下側空間との２つの収容空間１００ｚＤを有した上下２段構造で構成したハウジング１００Ａを備えている。さらに、第２実施形態のコネクタ１Ａは、上述した第１実施形態の４つのキャビティパーツ２００Ｐ以外にも、例えば、図７（ａ）、（ｂ）、（ｃ）、（ｄ）に示すように、端子金具３００の態様に応じて構成した様々な態様のキャビティパーツ２００Ｐ５，２００Ｐ６，２００Ｐ７，２００Ｐ８を備えている。  
すなわち、図７（ａ）、（ｂ）、（ｃ）、（ｄ）には、キャビティ２１０ｚの極数、孔径、配置が第１実施形態の４つのキャビティパーツ２００Ｐとは異なるキャビティパーツ２００Ｐを図示している。
【００８３】
例えば、図７（ａ），（ｂ）には、第１実施形態の４種類のキャビティパーツ２００Ｐの幅に対して半分の幅で形成した幅小キャビティパーツ２００Ｐ５，２００Ｐ６を図示している。
【００８４】
これら幅小キャビティパーツ２００Ｐ５，２００Ｐ６Ｐは、図７（ａ）、（ｂ）に示すように、ハウジング側案内溝部１３０に係合して案内可能なレール状のキャビティパーツ側案内突部２３０を、キャビティパーツ本体２８０の天板における幅方向Ｗの中央に１つだけ形成するとともに、幅方向Ｗの両側に、ハウジング側係合突部１２０に係合可能な幅小キャビティパーツ２００Ｐ側の係合手段として、図６に示すようなハウジング側係合突部１２０と係合するキャビティパーツ側係合孔２２０Ｈを形成している。
【００８５】
さらに、図７（ｃ），（ｄ）に示すキャビティパーツ２００Ｐ７，２００Ｐ８は、上述したレール状のキャビティパーツ側案内突部２３０を、キャビティパーツ本体２８０の天板における幅方向Ｗの両側に形成するとともに、キャビティパーツ側係合孔２２０Ｈを、幅方向Ｗの中央、及び外側両端に形成している。  
なお、キャビティパーツ２００Ｐ７，２００Ｐ８は、いずれもキャビティ２１０ｚを上下２段に渡って配設している。
【００８６】
一方、第２実施形態のハウジング１００Ａについても、図６に示すように、上述したキャビティパーツ側係合孔２２０Ｈと係合するハウジング側係合突部１２０を形成するとともに、キャビティパーツ２００Ｐに形成したキャビティパーツ側案内突部２３０を係合可能に天板の下面を凹状としたハウジング側案内溝部１３０を形成している。
【００８７】
上述した構成によれば、キャビティパーツ２００Ｐを下側収容空間１００ｚＤと上側収容空間１００ｚＵのいずれの側にも収容できるため、キャビティパーツ２００Ｐをパーツ収容区分け空間１１０ｚに収容するバリエーションが増加し、キャビティパーツ２００Ｐの配置態様の組み合わせパターンを増加させることができる。
【００８８】
さらに、第２実施形態のコネクタ１Ａは、上述したように、パーツ収容区分け空間１１０ｚの半分の幅で形成した図７（ａ）、（ｂ）に示すような幅小キャビティパーツ２００Ｐ５，２００Ｐ６を備えている。これら幅小キャビティパーツ２００Ｐ５，２００Ｐ６は、例えば、収容空間１００ｚにおける任意のパーツ収容区分け空間１１０ｚの片側半分の空間に収容できるため、このような幅小キャビティパーツ２００Ｐ５，２００Ｐ６を備えることで第２実施形態のコネクタ１Ａは、接続箇所の様々な配線仕様にきめ細かに対応して構成することができる。
【００８９】
また、第２実施形態のコネクタ１Ａは、パーツ収容区分け空間１１０ｚと同じ幅で形成した図１や図７（ｃ）、（ｄ）に示すようなキャビティパーツ２００Ｐを、パーツ収容区分け空間１１０ｚに収容してもよいが、これに限らず、隣接する２つのパーツ収容区分け空間１１０ｚ，１１０ｚを跨ぐように収容することができる。
【００９０】
例えば、図６に示すように、第４キャビティパーツ２００Ｐ４は、下側収容空間１００ｚＤにおいて第２パーツ収容区分け空間１１０ｚｂと第３パーツ収容区分け空間１１０ｚｃとを跨ぐように収容してもよい。詳しくは、第４キャビティパーツ２００Ｐ４は、第２パーツ収容区分け空間１１０ｚｂにおける第３パーツ収容区分け空間１１０ｚｃ側の片側半分と、第３パーツ収容区分け空間１１０ｚｃにおける第２パーツ収容区分け空間１１０ｚｂ側の片側半分とに渡って収容することができる。
【００９１】
これにより、第２実施形態のコネクタ１Ａは、キャビティパーツ２００Ｐを、収容空間１００ｚにおけるパーツ収容区分け空間１１０ｚに拘束されずに収容できるため、接続箇所の様々な配線仕様に対応してより一層、きめ細かに構成することができる。
【００９２】
（第３実施形態）
第３実施形態のコネクタ１Ｂは、図８（ａ）、（ｂ）、（ｃ）に示すように、キャビティパーツ２００Ｐをハウジング１００Ｂの側方に形成した挿入側開口部１４０を通じて挿入してキャビティパーツ装着位置ＰＤに収容可能に形成している。  
なお、図８（ａ）はキャビティパーツ２００Ｐをハウジング１００Ｂに収容する様子を説明する説明図であり、図８（ｂ）はキャビティパーツ２００Ｐをハウジング１００Ｂに収容した直後の様子を示す外観図であり、図８（ｃ）は第３実施形態のコネクタ１Ｂの外観図である。
【００９３】
第３実施形態のコネクタ１Ｂは、挿入側開口部１４０をハウジング１００Ｂの側方に形成している。  
具体的には、図８（ａ）、（ｂ）、（ｃ）に示すように、側板１７０は、挿入側開口部１４０を閉塞可能な扉としてハウジング本体１８０Ｂに対して別部材で形成するとともに、底板との互いの対向端部においてヒンジ１７０ａを介して挿入側開口部１４０を開閉可能に枢着している。
【００９４】
側板１７０により挿入側開口部１４０を閉塞した状態において、側板１７０とハウジング本体１８０Ｂとに、側板１７０を閉塞状態に保つように係合する係合部１７０ｔ，１８０ｔを形成している。
【００９５】
係合部１７０ｔ，１８０ｔは、側板１７０におけるヒンジ１７０ａ側と反対側の端部に形成した扉側係合部１７０ｔと、これに係合可能にハウジング本体１８０Ｂの天板の端部に形成したハウジング側係合部１８０ｔとで構成している。
【００９６】
ハウジング側案内溝部１３０は、ハウジング本体１８０Ｂの奥行方向Ｄの中間部に幅方向Ｗに沿って直線状に形成している。
【００９７】
一方、キャビティパーツ側案内突部２３０は、４つのキャビティパーツ２００Ｐにおけるそれぞれのキャビティパーツ本体２８０の奥行方向Ｄの中間部に幅方向Ｗに沿って直線状に形成している。なお、キャビティパーツ側案内突部２３０は、複数のキャビティパーツ２００Ｐを並列配置した状態において１本の直線状に連続して配置される。
【００９８】
また、ハウジング側係合突部１２０に関して詳述すると、図８（ａ）、（ｂ）、（ｃ）に示すように、に示すように、ハウジング本体１８０Ｂの上部には、キャビティパーツ２００を保持するパーツ保持板１８５を備え、該パーツ保持板１８５は、ハウジング本体１８０Ｂにおけるパーツ保持板１８５以外の部分に対して別体で形成している。パーツ保持板１８５は、ハウジング本体１８０Ｂに形成したパーツ保持板嵌込み部１８５Ｈに対して上方から嵌め込み可能に形成している。
【００９９】
パーツ保持板１８５の下面には、該パーツ保持板１８５をパーツ保持板嵌込み部１８５Ｈに嵌め込んだ状態において、キャビティパーツ側係合孔２２０Ｈと係合可能なハウジング側係合突部１２０を、幅方向Ｗに沿って４つ配設するとともに、それぞれ下方に突出して形成している。
【０１００】
上記構成によれば、図８（ａ）に示すように、パーツ保持板１８５をパーツ保持板嵌込み部１８５Ｈに嵌め込まない状態とし、さらに、挿入側開口部１４０を開口した状態において、４つのキャビティパーツ２００Ｐを順に収容空間１００ｚに挿入していく。このとき、キャビティパーツ側案内突部２３０とハウジング側案内溝部１３０とは奥行方向Ｄにおいて係合することで、幅方向Ｗに沿ってキャビティパーツ２００Ｐをキャビティパーツ装着位置ＰＤまで案内することができる。なお、キャビティパーツ２００Ｐを、収容空間１００ｚに挿入する際に、パーツ保持板１８５をパーツ保持板嵌込み部１８５Ｈから外した状態とすることで、キャビティパーツ２００Ｐは、ハウジング側係合突部１２０に引掛かることがなく収容空間１００ｚにスムーズに収容することができる。
【０１０１】
図８（ｂ）に示すように、４つのキャビティパーツ２００Ｐの収容空間１００ｚへの収容が完了すると、パーツ保持板１８５をパーツ保持板嵌込み部１８５Ｈに嵌め込むことで４つのキャビティパーツ２００Ｐのそれぞれについて、ハウジング側係合突部１２０をキャビティパーツ側係合孔２２０Ｈに係合することができる。さらに、図８（ｃ）に示すように、側板１７０により挿入側開口部１４０を閉塞し、扉側係合部とハウジング側係合部１８０ｔとを係合することで、しっかりと挿入側開口部１４０を閉塞した状態に保つことができる。
【０１０２】
また、本発明のコネクタは、上述した実施態様に限定せず、様々な実施態様で用いることで様々な作用効果を奏することができる。  
例えば、図６に示すように、キャビティパーツ２００Ｐを収容する必要のない不使用のパーツ収容区分け空間１１０ｚについては、キャビティパーツ２００Ｐを収容せずに、取り外して空隙Ｄの状態にしておくことが可能であるため、コネクタ１は、端子金具３００を挿着していない未使用である空のキャビティ２１０ｚのキャビティパーツ２００Ｐによって重量が増加することなく軽量化を図ることができる。
【０１０３】
詳述すると、コネクタ接続箇所における様々な配線仕様に対応できるようにするため、予め極数を増やしてコネクタを設計しておくことも想定されるが、実際の配線仕様において必要となる極数が少ない場合には、コネクタにおいて未使用となる空キャビティ２１０ｚが多くなり、コネクタが無駄に嵩張るという課題があった。さらに、多極コネクタになればなる程、例えば、サブコネクタの数が増えるなどして、コネクタの部品点数が増えたり、構成が複雑化するという課題も有していた。
【０１０４】
特に、いわゆるハイブリットコネクタの場合、端子金具３００を挿入しない空のキャビティ２１０ｚを確保し易いが、その空のキャビティ２１０ｚがコネクタによる接続箇所において必要となる端子金具３００の態様に対応しているとは限らず、その場合は、接続箇所において必要となる端子金具３００の態様に対応した別のコネクタを用意せざるを得なかった。
【０１０５】
これに対して、本実施形態のコネクタ１，１Ａ，１Ｂは、不要なキャビティパーツ２００Ｐは収容せずに、コネクタによる接続箇所の配線仕様を満たす形状や、サイズで形成したキャビティ２１０ｚを有するキャビティパーツ２００Ｐのみをハウジング１００の収容空間１００ｚに収容しておくことができるため、該収容空間１００ｚにおいて、端子金具３００が挿入されていない未使用のキャビティ２１０ｚのキャビティパーツ２００Ｐが残余することがなく、必要最低限のキャビティパーツ２００Ｐのみで所望の配線仕様に対応したコネクタとすることができる。
【０１０６】
従って、コネクタ１，１Ａ，１Ｂは、未使用である空のキャビティ２１０ｚのキャビティパーツ２００Ｐによって重量が増加することなく軽量化を図ることができる。
【０１０７】
この発明のハウジング側係合手段は、この実施形態のハウジング側係合突部１２０に対応し、以下同様に、キャビティパーツ側係合手段はキャビティパーツ側係合片２２０、又はキャビティパーツ側係合孔２２０Ｈに対応し、  
案内手段はハウジング側案内溝部１３０、及びキャビティパーツ側案内突部２３０２３０に対応し、  
端子は端子金具３００に対応し、  
空間はキャビティ２１０ｚに対応し、  
端子の挿入方向はキャビティ２１０ｚへの端子金具３００の挿入方向Ｄ１に対応し、  
保持手段は、ハウジング側係合突部１２０、及びキャビティパーツ側係合片２２０（キャビティパーツ側係合孔２２０Ｈ）と、ハウジング側案内溝部１３０、及びキャビティパーツ側案内突部２３０に対応し、
所定位置はキャビティパーツ装着位置ＰＤに対応するも、この発明は、上述した実施形態に限らず、その他にも様々な実施形態で形成することができる。
【０１０８】
例えば、キャビティパーツ２００Ｐは、上述した実施形態で説明した形態に限らず、端子金具３００の形態に応じて様々な形態で構成することができ、２以上の任意の数を備えることができる。  
キャビティパーツ２００Ｐは、上述したように、パーツ収容区分け空間１１０ｚ１１０ｚに対応する幅か、この幅に対して半分の幅で形成するに限らず、収容空間１００ｚに収容可能な幅であれば適宜の大きさ、形状で構成してもよい。
【０１０９】
なお、言うまでもなく、複数のキャビティパーツ２００Ｐの中には、第１実施形態のように全て形態が異なるものに限らず、同じ形態のものを含んでいてもよい。
【０１１０】
また、ハウジング１００には、第１実施形態のように一列あたり、４つのキャビティパーツ２００Ｐを収容可能な大きさで形成するに限らず、４以外の複数のキャビティパーツ２００Ｐを収容可能な大きさで形成してもよく、また、１つのキャビティパーツ２００Ｐのみを収容可能な大きさで形成してもよい。
【０１１１】
さらに、ハウジング１００は、第１実施形態のように幅方向Ｗに横長な形状で構成するに限らず、上下方向Ｚに縦長に形成したり、正面視正方形に形成するなど、様々な形態で構成することができる。
【０１１２】
さらにまた、ハウジング１００は、第２実施形態のように、収容空間１００ｚを２段に渡って構成するに限らず、２段以外の複数段でもよく、収容空間１００ｚにおけるパーツ収容区分け空間１１０ｚ同士の間を、上述した実施形態のように仕切らなくてもよいが、適宜、壁で仕切ってもよい。
【０１１３】
また、上述したハウジング側係合突部１２０は、ハウジング本体１８０，１８０Ａ，１８０Ｂの天板のみに形成するに限らず、キャビティパーツ側係合片２２０は、キャビティパーツ本体２８０の天板のみに形成するに限らず、いずれも天板と底板とのうち少なくとも一方に形成するなど、ハウジング１００に収容したキャビティパーツ２００Ｐを係合可能であれば、形成箇所や、構成については特に限定しない。
【０１１４】
同様に、上述したハウジング側案内溝部１３０は、ハウジング本体１８０，１８０Ａ，１８０Ｂの天板のみに形成するに限らず、キャビティパーツ側案内突部２３０は、キャビティパーツ本体２８０の天板のみに形成するに限らず、いずれも天板と底板とのうち少なくとも一方に形成するなど、ハウジング１００に収容したキャビティパーツ２００Ｐを係合可能であれば特に限定しない。
【符号の説明】
【０１１５】
１，１Ａ，１Ｂ…コネクタ
１００，１００Ａ，１００Ｂ…ハウジング
１００ｚ…収容空間
１２０…ハウジング側係合突部
１３０…ハウジング側案内溝部
２００Ｐ…キャビティパーツ
２１０ｚ…キャビティ
２２０…キャビティパーツ側係合片
２２０Ｈ…キャビティパーツ側係合孔
２３０…キャビティパーツ側案内突部
３００…端子金具
ＰＤ…キャビティパーツ装着位置
Ｄ１…キャビティへの端子金具の挿入方向
【図１】
2015191835.tif 000003
【図２】
2015191835.tif 000004
【図３】
2015191835.tif 000005
【図４】
2015191835.tif 000006
【図５】
2015191835.tif 000007
【図６】
2015191835.tif 000008
【図７】
2015191835.tif 000009
【図８】
2015191835.tif 000010